(57)【要約】【課題】原稿が傾いたまま読み取られ、表示部に傾いたままのプレビュー画像が表示された場合であっても、傾いたままのプレビュー画像を適宜編集して、希望する部分を前記プレビュー画像から適切に切り出すことが出来る画像編集装置、画像形成装置、画像編集方法、コンピュータプログラム及び記録媒体を提供する。【解決手段】切り取るべき範囲を示す切取枠の画像を画像表示装置に表示し、入力画像に基づいて画像表示装置に表示されたプレビュー画像を切取枠に合わせる編集が行われた場合、該編集によるプレビュー画像上の所定位置の座標変換を検出し、該座標変換の検出結果に基づき、切取枠に対応する対応切取範囲を前記入力画像から切り取る。【選択図】図３
2011061730.tif 000002
【特許請求の範囲】
【請求項１】
入力画像に基づいて表示部に表示された表示画像を編集することによって、前記入力画像を切り取る画像編集装置において、
切り取るべき範囲を示す切取枠の画像を前記表示部に表示する切取範囲表示手段と、
前記表示画像を前記切取枠に合わせる編集に係る編集指示を受け付ける編集指示受付手段と、
前記表示画像上の複数位置の指定を受け付ける位置指定受付手段と、
前記編集によって変更する前記複数位置の座標変換を検出する座標変換検出手段と、
該座標変換検出手段による検出結果に基づき、前記入力画像から前記切取枠に対応する対応切取範囲を切り取る切取手段と
を備えていることを特徴とする画像編集装置。
【請求項２】
前記表示画像上の複数の既定位置の座標を記憶している記憶手段と、
前記座標変換検出手段の検出結果に基づき、前記編集によって変更する前記既定位置の変換座標を演算する座標演算手段とを備え、
編集前の前記既定位置の座標と、編集後の前記既定位置の変換座標との位置関係に基づき、
前記切取手段が前記入力画像から前記対応切取範囲を切り取るように構成されていることを特徴とする請求項１に記載の画像編集装置。
【請求項３】
前記編集指示受付手段が一連の編集指示を受け付けた場合、
前記一連の編集指示のうち、最初の編集指示に係る編集前の前記既定位置の座標と、最終の編集指示に係る編集後の前記既定位置の座標との位置関係に基づき、
前記切取手段が前記入力画像から前記対応切取範囲を切り取るように構成されていることを特徴とする請求項１に記載の画像編集装置。
【請求項４】
請求項１から請求項３の何れか一つに記載の画像編集装置を備え、
該画像編集装置の切取手段によって切り取られた範囲に係る画像をシート上に形成するように構成してあることを特徴とする画像形成装置。
【請求項５】
入力画像に基づいて表示部に表示された表示画像上の複数の既定位置の座標を記憶し、前記表示画像を編集することによって、前記入力画像を切り取る画像編集方法において、
切り取るべき範囲を示す切取枠の画像を前記表示部に表示するステップと、
前記表示画像を前記切取枠に合わせる編集に係る編集指示を受け付けるステップと、
前記表示画像上の複数位置の指定を受け付けるステップと、
前記編集によって変更する前記複数位置の座標変換を検出する座標変換検出ステップと、
該座標変換検出ステップによる検出結果に基づき、前記編集によって変更する前記既定位置の変換座標を演算するステップと、
編集前の前記既定位置の座標と、編集後の前記既定位置の変換座標との位置関係に基づき、前記入力画像から前記切取枠に対応する対応切取範囲を切り取るステップと
を含むことを特徴とする画像編集方法。
【請求項６】
コンピュータに、入力画像に基づいて表示部に表示された表示画像上の複数の既定位置の座標を記憶させ、前記表示画像を編集することによって、前記入力画像の切り取りを行わせるコンピュータプログラムにおいて、
コンピュータに、切り取るべき範囲を示す切取枠の画像を前記表示部に表示させるステップと、
コンピュータに、前記表示画像を前記切取枠に合わせる編集に係る編集指示を受付させるステップと、
コンピュータに、前記表示画像上の複数位置の指定を受付させるステップと、
コンピュータに、前記編集によって変更する前記複数位置の座標変換を検出させる座標変換検出ステップと、
コンピュータに、該座標変換検出ステップによる検出結果に基づき、前記編集によって変更する前記既定位置の変換座標を演算させるステップと、
コンピュータに、編集前の前記既定位置の座標と、編集後の前記既定位置の変換座標との位置関係に基づき、前記入力画像から前記切取枠に対応する対応切取範囲の切り取りを行わせるステップと
を実行させることを特徴とするコンピュータプログラム。
【請求項７】
請求項６に記載のコンピュータプログラムを記録してあることを特徴とするコンピュータでの読み取りが可能な記録媒体。
【発明の詳細な説明】
【技術分野】
【０００１】
本発明は、入力画像に基づいて表示部に表示された表示画像を編集することによって、前記入力画像を切り取る画像編集装置、該画像編集装置を備えた画像形成装置、入力画像に基づいて表示部に表示された表示画像の編集によって、前記入力画像を切り取る画像編集方法及びコンピュータプログラム、並びに該コンピュータプログラムを記録してある記録媒体に関する。
【背景技術】
【０００２】
原稿の画像を読み取って表示部に前記原稿の画像データに基づくプレビュー画像を表示し、表示部に表示された前記原稿のプレビュー画像に移動、回転等の画像処理（編集）を施し、又は原稿のプレビュー画像を１頁毎に或いは複数頁をまとめて前記表示部に表示する技術が開発されている。
【０００３】
また、特許文献１には、情報処理装置のモニタに原稿の画像データに基づくプレビュー画像を表示し、該プレビュー画像から写真、図形等を挿入した部分を指定して前記モニタの画面を見ながら前記部分の色味を合わせ、この部分を切り出して印刷する印刷出力制御装置が開示されている。
【先行技術文献】
【特許文献】
【０００４】
【特許文献１】特開２００４−１６４１２５号公報
【発明の概要】
【発明が解決しようとする課題】
【０００５】
しかしながら、特許文献１の印刷出力制御装置においては、画像の一部分を切り出す処理が正常に行われるために、読み取り装置の原稿台に原稿が正しく載置されていることが前提となる。つまり、読み取り装置の原稿台に原稿が傾いて載置され、その状態で読み取られた場合は、傾いたままのプレビュー画像が表示されるので、希望する部分を適宜切り出すことが出来ないと言う問題がある。
【０００６】
本発明は、斯かる事情に鑑みてなされたものであり、その目的とするところは、入力画像の切り取りにおいて、切り取るべき範囲を示す切取枠の画像を表示部に表示し、前記入力画像に基づいて前記表示部に表示された表示画像を前記切取枠に合わせる編集の指示を受け付けて実行し、該編集による前記表示画像上の所定位置の座標変換を検出し、該座標変換の検出結果に基づき、前記切取枠に対応する対応切取範囲を前記入力画像から切り取ることにより、例えば、原稿が傾いたまま読み取られ、前記表示部に傾いたままの表示画像が表示された場合であっても、該表示画像の編集を介して、希望する部分を読み取られた入力画像から適切に切り出すことが出来る画像編集装置、画像形成装置、画像編集方法、コンピュータプログラム及び記録媒体を提供することにある。
【課題を解決するための手段】
【０００７】
本発明に係る画像編集装置は、入力画像に基づいて表示部に表示された表示画像を編集することによって、前記入力画像を切り取る画像編集装置において、切り取るべき範囲を示す切取枠の画像を前記表示部に表示する切取範囲表示手段と、前記表示画像を前記切取枠に合わせる編集に係る編集指示を受け付ける編集指示受付手段と、前記表示画像上の複数位置の指定を受け付ける位置指定受付手段と、前記編集によって変更する前記複数位置の座標変換を検出する座標変換検出手段と、該座標変換検出手段による検出結果に基づき、前記入力画像から前記切取枠に対応する対応切取範囲を切り取る切取手段とを備えていることを特徴とする。
【０００８】
本発明にあっては、前記編集指示受付手段が前記表示画像を前記切取枠に合わせる編集に係る編集指示を受け付け、該編集指示に係る編集が行われた場合、該編集による前記位置指定受付手段が指定を受け付けた前記複数位置の座標変換を前記座標変換検出手段が検出し、該座標変換検出手段による検出結果に基づき、前記切取手段が前記切取枠に対応する対応切取範囲を前記入力画像から切り取る。
【０００９】
本発明に係る画像編集装置は、前記表示画像上の複数の既定位置の座標を記憶している記憶手段と、前記座標変換検出手段の検出結果に基づき、前記編集によって変更する前記既定位置の変換座標を演算する座標演算手段とを備え、編集前の前記既定位置の座標と、編集後の前記既定位置の変換座標との位置関係に基づき、前記切取手段が前記入力画像から前記対応切取範囲を切り取るように構成されていることを特徴とする。
【００１０】
本発明にあっては、前記表示画像を前記切取枠に合わせる編集が行われた場合、前記座標演算手段は前記編集によって変更する前記既定位置の変換座標を演算し、前記切取手段は、前記編集の前の前記既定位置の座標と、前記編集の後の前記既定位置の変換座標との位置関係に基づき、前記入力画像から前記対応切取範囲を切り取る。
【００１１】
本発明に係る画像編集装置は、前記編集指示受付手段が一連の編集指示を受け付けた場合、前記一連の編集指示のうち、最初の編集指示に係る編集前の前記既定位置の座標と、最終の編集指示に係る編集後の前記既定位置の座標との位置関係に基づき、前記切取手段が前記入力画像から前記対応切取範囲を切り取るように構成されていることを特徴とする。
【００１２】
本発明にあっては、前記編集指示受付手段が一連の編集指示を受け付け、一連の編集指示に係る編集が行われた場合、最初の編集指示に係る編集前の前記既定位置の座標と、最終の編集指示に係る編集後の前記既定位置の座標との位置関係に基づき、前記切取手段が前記入力画像から前記対応切取範囲を切り取る。
【００１３】
本発明に係る画像形成装置は、前述の発明の何れか一つに記載の画像編集装置を備え、該画像編集装置の切取手段によって切り取られた範囲に係る画像をシート上に形成するように構成してあることを特徴とする。
【００１４】
本発明にあっては、前記表示画像を前記切取枠に対応させる編集に係る編集が行われた場合、前記画像編集装置の切取手段が前記切取枠に対応する対応切取範囲を前記編集の前の表示画像から切り取り、該切取手段によって切り取られた範囲に係る画像が、例えば記録用紙上に形成される。
【００１５】
本発明に係る画像編集方法は、入力画像に基づいて表示部に表示された表示画像上の複数の既定位置の座標を記憶し、前記表示画像を編集することによって、前記入力画像を切り取る画像編集方法において、切り取るべき範囲を示す切取枠の画像を前記表示部に表示するステップと、前記表示画像を前記切取枠に合わせる編集に係る編集指示を受け付けるステップと、前記表示画像上の複数位置の指定を受け付けるステップと、前記編集によって変更する前記複数位置の座標変換を検出する座標変換検出ステップと、該座標変換検出ステップによる検出結果に基づき、前記編集によって変更する前記既定位置の変換座標を演算するステップと、編集前の前記既定位置の座標と、編集後の前記既定位置の変換座標との位置関係に基づき、前記入力画像から前記切取枠に対応する対応切取範囲を切り取るステップとを含むことを特徴とする。
【００１６】
本発明に係るコンピュータプログラムは、コンピュータに、入力画像に基づいて表示部に表示された表示画像上の複数の既定位置の座標を記憶させ、前記表示画像を編集することによって、前記入力画像の切り取りを行わせるコンピュータプログラムにおいて、コンピュータに、切り取るべき範囲を示す切取枠の画像を前記表示部に表示させるステップと、コンピュータに、前記表示画像を前記切取枠に合わせる編集に係る編集指示を受付させるステップと、コンピュータに、前記表示画像上の複数位置の指定を受付させるステップと、コンピュータに、前記編集によって変更する前記複数位置の座標変換を検出させる座標変換検出ステップと、コンピュータに、該座標変換検出ステップによる検出結果に基づき、前記編集によって変更する前記既定位置の変換座標を演算させるステップと、コンピュータに、編集前の前記既定位置の座標と、編集後の前記既定位置の変換座標との位置関係に基づき、前記入力画像から前記切取枠に対応する対応切取範囲の切り取りを行わせるステップとを実行させることを特徴とする。
【００１７】
本発明にあっては、前記表示画像を前記切取枠に合わせる編集に係る編集指示を受け付け、該編集指示に係る編集が行われた場合、該編集による前記複数位置の座標変換を検出し、該座標変換の検出結果に基づき、前記編集によって変更する前記既定位置の変換座標を演算し、前記編集の前の前記既定位置の座標と、前記編集の後の前記既定位置の変換座標との位置関係に基づき、前記入力画像から前記対応切取範囲を切り取る。
【００１８】
本発明に係る記録媒体は、前述の発明のコンピュータプログラムを記録してあることを特徴とする。
【００１９】
本発明にあっては、前記記億媒体に前述のコンピュータプログラムを記録する。コンピュータが前記記録媒体からコンピュータプログラムを読み出して、前述の画像編集装置、画像形成装置、及び画像編集方法がコンピュータにより実現される。
【発明の効果】
【００２０】
本発明によれば、例えば、原稿台に原稿が傾いて載置され、傾いたまま読み取られることによって、前記表示部に傾いたままの表示画像が表示された場合であっても、該傾いたままの表示画像を適宜編集して、希望する部分を前記表示画像から適切に切り出すことが出来る。
【図面の簡単な説明】
【００２１】
【図１】本発明の実施の形態１のデジタル複合機の要部構成を示すブロック図である。
【図２】本発明の実施の形態１のデジタル複合機の画像処理装置の要部構成を示す機能ブロック図である。
【図３】本発明の実施の形態１のデジタル複合機の画像編集装置の要部構成を示す機能ブロック図である。
【図４】実施の形態１のデジタル複写機における、プレビュー画像を切取枠に合わせる操作の一例を示す例示図である。
【図５】実施の形態１のデジタル複写機の座標変換検出部、座標演算部及び変換量算出部による処理を説明するための説明図である。
【図６】プレビュー画像の回転に係る編集処理における回転角度θを算出する方法を説明する説明図である。
【図７】切取範囲算出点の座標の変換に基づく切取範囲変換量の算出を説明するための説明図である。
【図８】編集が施された後の座標に対応する、編集が施される前の座標を算出する方法を説明するための説明図である。
【図９】編集が施される前の座標の算出における、バイリニアによる補間演算を説明するための説明図である。
【図１０】本発明の実施の形態１のデジタル複合機における切取処理を説明するフローチャートである。
【図１１】本発明の実施の形態２のデジタル複合機の要部構成を示す機能ブロック図である。
【発明を実施するための形態】
【００２２】
以下、本発明に係る画像編集装置、画像形成装置、画像編集方法、コンピュータプログラム及び記録媒体を、コピー機能、印刷機能等を有するデジタル複合機に適用した形態について、図面を用いて具体的に説明する。
【００２３】
（実施の形態１）
本発明の実施の形態１に係る画像形成装置においては、原稿の画像を読み取り、読み取られた入力画像に基づく表示画像を表示部等に表示し（以下、プレビュー画像と言う。）、該プレビュー画像（表示画像）に編集を行い、該編集に基づき、前記入力画像の一部を切り取って出力することが可能である。
【００２４】
図１は本発明の実施の形態１のデジタル複合機１の要部構成を示すブロック図である。実施の形態１のデジタル複合機１は、制御部２と、画像入力装置３と、画像出力装置５と、画像処理装置４と、通信装置６と、記憶部９と、操作部１０とを備えており、これらハードウェアはバスＮによって接続されている。また、操作部１０は画像表示装置８及び画像編集装置７を備えている。
【００２５】
制御部２はＣＰＵ、ＲＯＭ及びＲＡＭ（図示せず）を備えている。ＲＯＭには各種の制御プログラム及びデータ等が予め格納されており、ＲＡＭは、複数のデータを記憶し、記憶順、記憶位置等に関係なく読み出すことが可能である。また、ＲＡＭは、例えば、ＲＯＭから読み出されたプログラム、該プログラムを実行することにより発生する各種データ、外部から受信した各種データを記憶する。ＲＡＭは、ＣＰＵの読出指示に応じて記憶してある各種データ等を適宜読み出す。
【００２６】
ＣＰＵは、ＲＯＭに予め格納されている制御プログラムをＲＡＭ上にロードして実行することによって前述の各種ハードウェアの制御を行い、装置全体を本発明の実施の形態１のデジタル複合機１として動作させる。
【００２７】
なお、画像入力装置３は、処理すべき原稿の画像データの光学的読み取りを行う。また、画像入力装置３は、読み取り用の原稿に光を照射する光源、例えばＣＣＤ（Charge Coupled Device）のようなイメージセンサ等を有する。画像入力装置３では、所定の読取り位置にセットされた原稿からの反射光像を当該イメージセンサに結像させ、ＲＧＢ（R : Red, G : Green, B : Blue）のアナログデータを出力する。画像入力装置３が出力したアナログデータは画像処理装置４に入力される。
【００２８】
画像出力装置５は、画像処理装置４から出力される画像データに基づく画像を記録用紙、ＯＨＰフィルム等のシート上に印刷する。画像出力装置５は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を用紙上に転写する転写器等を備えており、電子写真方式にて利用者が所望する画像をシート上に形成する。なお、レーザ書込装置を用いた電子写真方式により画像形成を行う他、インクジェット方式、熱転写方式、昇華方式等により画像形成を行う構成であってもよい。
【００２９】
通信装置６は、画像処理装置４にて処理した後の画像データを外部へ送信するネットワークカード、モデム等を備え、例えば、前記画像データをメールに添付して設定された送信先に送信する。
【００３０】
記憶部９は、例えば、不揮発性の半導体メモリであり、取得した画像データ、外部に通知すべき事項を画像表示装置８に表示するためのプログラム、後述するメニュー画面を画像表示装置８に表示するためのプログラム、画像表示装置８に表示するプレビュー画像上の後述する切取範囲算出点（既定位置）を特定するための座標を予め記憶している。
【００３１】
画像処理装置４は、例えば画像入力装置３を通じて入力されるアナログデータを基にデジタル形式の画像データを生成し、又は記憶部９に記憶されている画像データを読み出し、夫々の画像の種類に応じた処理を施した後、出力用画像データを生成する。また、画像処理装置４は、例えば、前記プレビュー画像の表示及び編集、並びに読み取った原稿の画像データから出力（印刷）に係る範囲の切り取り等の処理を行う。画像処理装置４によって生成された出力用画像データは、画像出力装置５又は通信装置６に出力される。
【００３２】
図２は本発明の実施の形態１のデジタル複合機１の画像処理装置４の要部構成を示す機能ブロック図である。画像処理装置４は、Ａ／Ｄ（アナログ／デジタル）変換部４０、シェーディング補正部４１、入力処理部４２、原稿補正部４３、領域分離処理部４８、色補正部４４、黒生成／下色除去部４５、空間フィルタ部４６、中間調生成部４７、及び表示制御部４９を備えている。
【００３３】
画像入力装置３にて読み取られた画像データのアナログデータは、画像処理装置４内を、Ａ／Ｄ変換部４０、シェーディング補正部４１、入力処理部４２、原稿補正部４３、領域分離処理部４８、色補正部４４、黒生成／下色除去部４５、空間フィルタ部４６、及び中間調生成部４７の順（矢印方法）で送られ、ＣＭＹＫのデジタルカラーデータとして、画像出力装置５へ出力される。
【００３４】
Ａ／Ｄ変換部４０は、画像入力装置３からのＲＧＢのアナログデータをデジタルデータに変換するものであり、シェーディング補正部４１は、Ａ／Ｄ変換部４０より送られてきたデジタルのＲＧＢデータに対して、画像入力装置３の照明系、結像系、撮像系で生じる各種の歪みを取り除く処理を施す。
【００３５】
入力処理部４２は、シェーディング補正部４１にて各種の歪みが取り除かれたＲＧＢデータ（ＲＧＢの反射率データ）夫々に対してγを補正し、カラーバランスを整えると同時に、濃度データに変換する処理を施す。また、入力処理部４２からのデータは記憶部９及び通信装置６に出力される。
【００３６】
表示制御部４９は、記憶部９に保存された画像データ又は画像入力装置３が読み取った画像データに、画像表示装置８（タッチパネル８１）を介して受け付けた画像データの移動、回転等の編集指示に応じて編集処理を施し、切り取りの処理をすべき範囲の指定を行う。なお、表示制御部４９は切り取りの処理をすべき範囲を特定する座標データを原稿補正部４３に送る。
【００３７】
原稿補正部４３は、表示制御部４９からの前記座標データに基づき、記憶部９に保存された画像データ又は画像入力装置３が読み取った画像データに係る入力画像から所定範囲の切り取りの処理を行う。詳しくは、後述する切取範囲表示部７６が画像表示装置８に表示する切取枠によって特定されるプレビュー画像上の範囲に対応する、前記入力画像における範囲を切り取る。
【００３８】
領域分離処理部４８は、原稿補正部４３からのＲＧＢデータより、入力画像データの各画素が文字領域、網点領域、写真領域（連続階調領域）等の何れかに属する画素であるのか判定して分離する。領域分離処理部４８は、分離結果に基づき、画素がどの領域に属しているかを示す領域識別データを、黒生成／下色除去部４５、空間フィルタ部４６、及び中間調生成部４７へと出力する。
【００３９】
色補正部４４は、ＲＧＢデータの補色であるＣＭＹ（Ｃ：シアン・Ｍ：マゼンタ・Ｙ：イエロー）データが生成されると共に、色再現性を高めるために、不要吸収成分を含むＣＭＹ色材の分光特性に基づいた色濁りを取り除く処理を行う。
【００４０】
黒生成／下色除去部４５は、色補正後のＣＭＹの３色データから黒（Ｋ）データを生成する黒生成、元のＣＭＹデータから黒生成で得たＫデータを差し引いて新たなＣＭＹデータを生成する処理を行うものであって、ＣＭＹの３色データはＣＭＹＫの４色データに変換される。
【００４１】
空間フィルタ部４６は、黒生成／下色除去部４５より入力されるＣＭＹＫデータの画像データに対して、領域識別データを基にデジタルフィルタによる空間フィルタ処理を行い、空間周波数特性を補正することによって出力画像のぼやけ及び粒状性劣化を防ぐように処理する。
【００４２】
また、中間調生成部４７は、ＣＭＹＫデータの画像データに対して、領域識別データを基に例えば階調再現処理を施す。該階調再現処理は最終的に画像を画素に分離して夫々の階調を再現できるように処理するものである。このように、階調再現処理が施されたＣＭＹＫデータの画像データは画像出力装置５に出力される。
【００４３】
また、操作部１０は、デジタル複写機１における「ファックス」、「複写」、「印刷」、「メール」等の機能を切り替える機能ボタン、テンキー、受け付けた指示を確定するためのエンターキー、画像入力装置３にて読み取った原稿の画像をシート状に画像形成するための「出力」又は「コピー」キー等を備えている。また、操作部１０は画像表示装置８及び画像編集装置７を備え、前記プレビュー画像の編集に係る指示を受け付け、該指示に応じて表示制御部４９に指示を行う。
【００４４】
画像表示装置８はデジタル複写機１の状態、ジョブ処理の状況、読み取った画像のプレビュー画像、操作部１０の操作内容の確認等、利用者に対して報知すべき情報を表示する。画像表示装置８は液晶ディスプレイ、及び該液晶ディスプレイへの利用者の指先の接触を検知するタッチパネル８１を備えている。タッチパネル８１は、例えば、指先の押圧操作による圧力の変化を検知し、又は静電気による電気信号を検知し、利用者の指先の接触点の表示画面上の座標を特定する信号を発生する。また、タッチパネル８１は複数点の認識が可能ないわゆるマルチタッチパネルであり、複数点が指定された場合、各々の点を個別に認識することが可能である。従って、利用者は画像表示装置８（タッチパネル８１）を用いて前記プレビュー画像の編集が可能であり、デジタル複写機１の制御部２は画像表示装置８（タッチパネル８１）を介して編集に係る編集指示を受け付ける。
【００４５】
画像編集装置７は、位置指定受付部７１と、座標変換検出部７２と、座標演算部７３と、編集指示受付部７４と、変換量算出部７５と、切取範囲表示部７６とを備えており、利用者から受け付けた指示に係る編集処理を制御する。図３は本発明の実施の形態１のデジタル複合機１の画像編集装置７の要部構成を示す機能ブロック図である。
【００４６】
切取範囲表示部７６は、原稿補正部４３によって切り取りすべき範囲を、画像表示装置８に表示されたプレビュー画像を用いて可視的に表示する切取枠の画像を画像表示装置８に表示する。すなわち、前記プレビュー画像に編集が施された場合又は編集が施されていない場合に関わることなく、例えば、利用者から出力指示を受け付けた場合、前記切取枠によって囲まれたプレビュー画像上の範囲に対応する前記入力画像における範囲が原稿補正部４３によって切り取られ、以後、印刷、メール添付等の出力処理が行われる。
【００４７】
位置指定受付部７１は、前記プレビュー画像の編集指示の受付に先立って、タッチパネル８１を介して、前記プレビュー画像上の複数位置の指定を受け付ける。例えば、利用者は前記プレビュー画像の編集を指示する前、前記プレビュー画像（画像表示装置８）上のタッチパネル８１を複数位置タッチする操作を行い、位置指定受付部７１はタッチパネル８１を介して複数位置の指定を受け付ける。本実施の形態１では、前記複数位置が２点（２箇所）である例について説明する。また、前記複数位置は２点に限るものでないことは言うまでもない。
【００４８】
編集指示受付部７４は、利用者のタッチパネル８１の押圧操作によって、前記プレビュー画像の編集に係る指示を受け付ける。例えば、利用者が前記複数位置のうち、何れか一点を指先で押圧したまま所定距離ドラッグして離す、いわゆるドラッグアンドドロップ操作をすることにより、編集指示受付部７４は前記一点（ドラッグ開始点）が、指先を離した位置（以下、離接点と言う）になるように、前記プレビュー画像を平行移動する編集指示を受け付ける。また、前記２点を夫々２本の指先にて押圧し、何れか一方の点のみをドラッグアンドドロップ操作をすることにより、他方の点を中心として前記一方の点のドラッグ開始点及び離接点によってなる角度分回転する編集指示を受け付ける。
【００４９】
座標変換検出部７２は、編集指示受付部７４が利用者から受け付けた編集指示に係る編集処理における、前記２点の移動方向及び移動距離、並びに回転方向及び回転角度等を示す変換量、すなわち、前記２点の座標の変換量を検出する。つまり、座標変換検出部７２は、編集指示受付部７４が受け付けた、前記複数位置のドラッグ開始点又は離接点に基づき、前記座標の変換量を検出する。座標変換検出部７２によって検出された変換量に基づき、画像処理装置４の表示制御部４９がプレビュー画像の更新、すなわち、前記編集処理後のプレビュー画像を形成する。以下の説明においては、前記２点（複数位置）を変換量検出点と言う。
【００５０】
座標演算部７３は、座標変換検出部７２によって検出された変換量検出点の座標の変換量に基づき、前記切取範囲算出点の新しい座標を演算する。該切取範囲算出点は記憶部９に予め記憶されている座標によって特定される複数の位置であり、これら切取範囲算出点の座標の変換に基づき、原稿補正部４３が画像の切取処理を行う。
【００５１】
例えば、前記プレビュー画像に編集を施した場合、前記変換量検出点及び切取範囲算出点の位置（座標）が変換する。斯かる際、編集指示受付部７４が前記開始点又は離接点を取得し、座標変換検出部７２は該開始点又は離接点に基づき、前記座標の変換量を検出する。なお、検出された座標の変換量に基づき、座標演算部７３は前記切取範囲算出点の新しい座標を演算する。
【００５２】
変換量算出部７５は、前記プレビュー画像に編集を施した場合、より詳しくは、前記編集の後、前記切取枠に係る範囲の出力（切取処理）指示を受け付けた場合、該編集前後における前記切取範囲算出点の座標の変換に基づき、原稿補正部４３が切り取りすべき範囲の画定に用いる、後述する切取範囲変換量を算出する。
【００５３】
例えば、利用者が前記切取枠に前記プレビュー画像の所定部分を合わせるために、該プレビュー画像を平行移動、回転等させる一連の編集を指示した場合、一連の編集指示のうち、最初の編集指示に係る編集を施す前の前記切取範囲算出点の座標と、最終の編集指示に係る編集を施した後の前記切取範囲算出点の座標とに基づき、編集前の前記切取範囲算出点から編集後の前記切取範囲算出点へと変換した量を示す切取範囲変換量を変換量算出部７５が算出する。制御部２のＣＰＵは、変換量算出部７５が算出した切取範囲変換量に基づき、編集後のプレビュー画像にて前記切取枠によって特定される範囲（以下、編集後切取範囲と言う。）と対応する、前記入力画像における範囲（以下、対応切取範囲と言う。）を画定する。
【００５４】
以下、座標変換検出部７２、座標演算部７３及び変換量算出部７５による処理について詳しく説明する。また、説明の便宜上、傾いたまま読み取られた原稿の画像（プレビュー画像）を利用者が平行移動させ、さらに回転させる編集を行い、前記切取枠に合わせる操作を行う場合を例として説明する。
【００５５】
図４は実施の形態１のデジタル複写機１における、プレビュー画像を前記切取枠に合わせる操作の一例を示す例示図であり、図５は実施の形態１のデジタル複写機１の座標変換検出部７２、座標演算部７３及び変換量算出部７５による処理を説明するための説明図である。
【００５６】
図４（ａ）に示すように、画像入力装置３によって読み取られた原稿のプレビュー画像が画像表示装置８に表示される。この際、原稿の有効領域が分からないため画像入力装置３で読み取られる全ての領域、例えば、Ａ３サイズの領域が表示される。それと共にメニュー画面が表示される。該メニュー画面には「切取領域指定」のソフトキーを表示し、利用者がこのソフトキーを押圧操作することにより、本発明に係る処理が開始される。
【００５７】
利用者によって「切取領域指定」のソフトキーが押圧操作されると、切取範囲表示部７６は、画像表示装置８に切取枠Ｆの画像を表示する。この際、切取枠Ｆの大きさを記録用紙の大きさ合わせて表示するための、「サイズ選択」のソフトキーが共に表示される。（例えば、予め登録された出力用紙の大きさ又は出力トレイに対応するサイズを表示する）利用者は前記「サイズ選択」のソフトキーの何れか一つを押圧操作することにより、操作されたソフトキーに対応するサイズの切取枠Ｆが表示される。同時に、プレビュー画像を切取枠Ｆに合わせる編集を促す通知が行われる。例えば、図４の（ｂ）に示すように、画像表示装置８に「出力処理を希望する部分が枠内に入るようにプレビュー画像を移動させてください」とのテキストが表示される。
【００５８】
次いで、利用者はタッチパネル８１を接触操作し、前記変換量検出点を２点指定する。その後、上述したように、利用者はプレビュー画像を平行移動、回転させ、出力処理を行うべき部分が切取枠Ｆに入るように編集処理し、「コピー」のソフトキーを押圧操作する。この際、座標変換検出部７２による前記変換量検出点の座標の変換量の検出、座標演算部７３による前記切取範囲算出点の新しい座標の演算及び変換量算出部７５による前記切取範囲変換量の算出が実行される。なお、前記変換量検出点はプレビュー画像内に限定されるものでない。
【００５９】
その後、座標変換検出部７２によって検出された前記変換量検出点の座標の変換量に基づき、編集処理が施された新しいプレビュー画像が画像表示装置８に表示され、該新しいプレビュー画像上において切取枠Ｆによって特定される範囲に対応する、前記入力画像における範囲が切り取られて印刷される。
【００６０】
以下、実施の形態１における、座標変換検出部７２、座標演算部７３及び変換量算出部７５による夫々の処理についてより詳しく説明する。
【００６１】
１．変換量検出点の座標の変換量の検出・切取範囲算出点の新しい座標の演算・切取範囲変換量の算出
変換量検出点の座標の変換量の検出（プレビュー用解像度を用いる）
タッチパネル８１を介して指定を受け付ける２点の変換量検出点の座標（図５のＡ1 ,Ａ2 ）に対して、どちらか一方でも座標が変換されている場合に以下の処理を行う。このとき、座標変換されているか否かの判断は、例えば、前回検出時の座標からｘ座標、または、ｙ座標がある閾値以上（例：１６画素）異なる場合とすればよい。また、２点のうち、最初に検知された座標を第１点、その後に検知された座標を第２点とする（同時に２点検出された場合は、どちらか一方を第１点、他方を第２点とすればよい）。図５の例ではＡ1 を第１点、Ａ2 を第２点とする。
【００６２】
さらに、記憶部９に予め記憶されている座標によって特定される切取範囲算出点を２点（図５のＢ1 ,Ｂ2 ）決めておき、移動（編集）を指示されるたびに座標を変換していく。この際の切取範囲算出点は図５のＢ1 ,Ｂ2 のように、原点及びx軸上の点にしておくと、計算を簡略化できる。
【００６３】
平行移動時の変換量の検出（第１点が変換されている場合）
図５（ａ）から図５（ｂ）への平行移動の編集において、第１点が変換しているため（Ａ1 からＡ1 ′へ変換）、その座標の変換量を（ｘ＿diff,ｙ＿diff）として、以下の処理を行う。
【００６４】
（１）プレビュー画像変換及び更新
以下の式１で、変換後の座標（ｘ′,ｙ′）に対して、変換前の座標（ｘ,ｙ）のデータを取得するように座標を算出し、プレビュー画像の変換、及び更新を行う。つまり、変換後の座標（ｘ′,ｙ′）に、変換前の座標（ｘ,ｙ）での画素値を入力する。
【数１】
2011061730.tif 000003
【００６５】
（２）切取範囲算出点の新しい座標の演算
切取範囲算出点の座標をＢ1 ,Ｂ2 からＢ1 ′,Ｂ2 ′へ変換する必要があり、変換前の座標を（ｘ,ｙ）、変換後の座標を（ｘ′,ｙ′）として、Ｂ1 ,Ｂ2 の２点夫々を以下の式２で変換する。
【数２】
2011061730.tif 000004
【００６６】
回転時の変換量の検出（第２点のみが変換されている場合）
図５（ｂ）から図５（ｃ）への回転の編集において、第１点が移動しておらず、第２点のみが移動しているため（Ａ1 ′とＡ1 ″は同じ座標、Ａ2 ′からＡ2 ″へ変換）、回転と判定する。
【００６７】
斯かる際、回転角度θを求める必要があるが、一般的に、図６のように、回転原点が（ｘ＿center,ｙ＿center）である場合、そこを起点としているベクトルｖ（終点の座標は（ｘ,ｙ））がベクトルｖ′（終点の座標は（ｘ′,ｙ′））へ回転変換された場合、その回転角度θは以下の式３で算出できる。
【数３】
2011061730.tif 000005
【００６８】
これより変形して以下の式４で算出する。
【数４】
2011061730.tif 000006
【００６９】
また、角度θの符号については以下により判定する。ただし、判定条件の簡略化、及び単位時間当たりの角度の変化量として大きいものの発生は稀であると考えられることからθが９０度以下の場合にのみ回転移動を有効と判定する（θが９０以上の場合、座標の変換もキャンセルするものとする）。
【００７０】
《ｙ及びｙ′が共にｙ＿centerより大きい場合》
ｘ≦ｘ′：負
ｘ>ｘ′：正
【００７１】
《ｙ及びｙ′が共にｙ＿centerより小さい場合》
ｘ≦ｘ′：正
ｘ>ｘ′：負
【００７２】
《ｙ及びｙ′の一方がｙ＿centerより小さく、他方がｙ＿centerより大きい場合》
＜ｘ及びｘ′が共にｘ＿centerより大きい場合＞
ｙ≦ｙ′：正
ｙ>ｙ′：負
＜ｘ及びｘ′が共にｘ＿centerより小さい場合＞
ｙ≦ｙ′：負
ｙ>ｙ′：正
＜ｘ及びｘ′の一方がｘ＿centerより小さく、他方がｘ＿centerより大きい場合＞
θが９０度以上であり、上記の内容からキャンセルされる。
【００７３】
（１）プレビュー画像変換及び更新
上述したように算出した角度θに対して、以下の式５で、変換後の座標（ｘ″,ｙ″）に対して、変換前の座標（ｘ,ｙ）のデータを取得するように座標を算出し、プレビュー画像変換及び更新を行う。
【数５】
2011061730.tif 000007
この場合の算出後の座標の小数点以下の値は四捨五入するものとする。（これはニアレストネイバでの補間方法であるが、プレビュー画像は確認用の画像であり、高度の精度は求められないため、この方法の採用が可能である。画像の精度を必要とする場合はバイリニア又はバイキュービックでの補間を行うように構成してもよい。）
【００７４】
（２）切取範囲算出点の新しい座標の演算
切取範囲算出点の座標をＢ1 ′,Ｂ2 ′からＢ1 ″,Ｂ2 ″へ変換する必要があり、変換前の座標を（ｘ,ｙ）、変換後の座標を（ｘ′,ｙ′）として、Ｂ1 ,Ｂ2 の２点それぞれを以下の式６で変換する。
【数６】
2011061730.tif 000008
【００７５】
切取範囲変換量の算出（プレビュー解像度を用いて算出し、出力解像度に変換して出力）
利用者から出力指示を受け付けると、換言すれば、図４の説明においては、利用者が「コピー」のソフトキーを押圧操作した場合、変換量算出部７５は切取範囲算出点の座標が最初のＢ1 ,Ｂ2 から最後のＢ1 ″ （ｘｂ１″,ｙｂ１″）, Ｂ2 ″ （ｘｂ２″,ｙｂ２″）へと変換した量から前記切取範囲変換量を算出する（図７参照）。
【００７６】
平行移動による切取範囲変換量（以下、平行切取範囲変換量と言う）の（ｘ＿move,ｙ＿move）はプレビュー解像度をres＿p[dpi],出力解像度をres＿o[dpi]としたとき、以下のように算出する。
【数７】
2011061730.tif 000009
【数８】
2011061730.tif 000010
【００７７】
また、回転による切取範囲変換量（以下、回転切取範囲変換量と言う。）のθは以下の式９で算出する。
【数９】
2011061730.tif 000011
ただし、
ｙｂ１″≦ｙｂ２″であればθは正
ｙｂ１″>ｙｂ２″であればθは負
【００７８】
２．原稿切取処理
原稿補正部４３は入力ＲＧＢ画像データを切取範囲変換量（平行切取範囲変換量（ｘ＿move,ｙ＿move）、回転切取範囲変換量θ）を基にして、切取処理を行う。図８に示すように、切取処理後における切取枠ＦのサイズをＸOUT_SIZE,ＹOUT_SIZE、切取開始座標を（Ｘｏｕｔ,Ｙｏｕｔ）としたとき、編集を施した後の座標（ｘ,ｙ：0 ≦ｘ≦ＸOUT_SIZE、0 ≦ｙ≦ＹOUT_SIZE）に対して、以下の式１０により、対応する編集を施す前の座標（ｘｓ,ｙｓ）を算出する。
【数１０】
2011061730.tif 000012
【００７９】
入力座標（ｘｓ,ｙｓ）は小数値であるため、バイリニア等で補間演算する。図９のように、ｘ−ｙ座標系において、（ｘｓ,ｙｓ）を含む４点の画素値は入力される。今、ｘi ≦ｘｓ＜ｘi+1、ｙj ≦ｙｓ＜ｙj+1で、その距離の比が、ｕ:１−ｕ、ｖ:１−ｖ（ただしｕ,ｖは共に０以上1未満の数値）であり、周辺４点の各画素値が、（ｘi ,ｙi）：Ｚ1 、（xi+1,yi ）：Ｚ2 、（xi ,yi+1）：Ｚ3 、（xi+1,yi+1）：Ｚ4 のとき、バイリニアによる補間後の座標値Ｚの画素値は、
【数１１】
2011061730.tif 000013
で求めることができる。
上述した処理により、編集後のプレビュー画像にて切取枠Ｆによって特定される範囲（編集後切取範囲）と対応する、前記プレビュー画像に係る入力画像での範囲（対応切取範囲）を画定し、該対応切取範囲を切り取って印刷を行うことが出来る。
【００８０】
図１０は本発明の実施の形態１のデジタル複合機１における切取処理を説明するフローチャートである。説明の便宜上、利用者が原稿の画像を読み取り、読み取られた画像データに基づく入力画像に係るプレビュー画像を画像表示装置８に表示し、該プレビュー画像を切取枠Ｆに合わせる編集を施し、切取枠Ｆによって特定される範囲を印刷（出力）する場合を例とする。
【００８１】
利用者は画像入力装置３の原稿台に原稿を載置し、操作部１０を操作することにより、前記原稿の読み取りを指示する。制御部２のＣＰＵは操作部１０を介して読み取りの指示を受け付け、画像入力装置３に原稿の読み取りを指示する。画像入力装置３によって読み取られた原稿の画像データは記憶部９に記憶される。
【００８２】
次いで、ＣＰＵは、画像入力装置３によって読み取られた原稿の画像データに基づくプレビュー画像の作成及び画像表示装置８への表示を表示制御部４９に指示し、前記原稿のプレビュー画像が画像表示装置８に表示される（ステップＳ１０１）。
【００８３】
また、ＣＰＵは画像編集装置７の切取範囲表示部７６に切取枠Ｆの表示を指示し、切取範囲表示部７６はＣＰＵの指示に応じて画像表示装置８に切取枠Ｆを表示する（ステップＳ１０２）。
【００８４】
次いで、ＣＰＵは、利用者から出力指示を受け付けたか否かを判定する（ステップＳ１０３）。斯かる判定は、ＣＰＵが操作部１０又はタッチパネル８１を監視することによって行われる。
【００８５】
利用者が操作部１０の「出力」又は「コピー」キー、若しくは画像表示装置８（タッチパネル８１）の「コピー」のソフトキーを操作することによって、ＣＰＵが出力指示を受け付けたと判定した場合（ステップＳ１０３：ＹＥＳ）、すなわち、利用者がプレビュー画像に対する編集を行わず、出力を指示した場合は、記憶部９に予め記憶されている切取枠の座標に基づいて画定される前記入力画像上の所定範囲を原稿補正部４３が前記入力画像から切り取り（ステップＳ１１２）、原稿補正部４３によって切り取られた前記所定範囲に係る画像が、画像出力装置５によって、例えば記録用紙上に出力され（ステップＳ１１３）、処理を終了する。
【００８６】
一方、ＣＰＵは、利用者から出力指示を受け付けていないと判定した場合（ステップＳ１０３：ＮＯ）、例えば、利用者が前記プレビュー画像上の２点を任意に押圧操作し、変換量検出点を指定した場合、位置指定受付部７１は、タッチパネル８１を介して２点の変換量検出点の位置指定の指示を受け付ける（ステップＳ１０４）。受け付けた位置指定の指示に係る変換量検出点の座標は記憶部９に記憶される。以下、ステップＳ１０４にて取得した変換量検出点の座標を、編集前の座標と言う。
【００８７】
次いで、利用者はタッチパネル８１を押圧操作して前記プレビュー画像を平行移動、回転させる等、該プレビュー画像の出力希望する部分を切取枠Ｆに合わせる編集を行い、編集指示受付部７４はタッチパネル８１を介して、編集指示を受け付ける（ステップＳ１０５）。なお、編集指示受付部７４は前記編集において利用者の押圧操作の際、指先を離した位置（離接点）の座標を受け付け、記憶部９に記憶する。以下、ステップＳ１０５にて取得した変換量検出点の座標を、編集後の座標と言う。
【００８８】
座標変換検出部７２は記憶部９に記憶されている、前記変換量検出点の編集前の座標及び編集後の座標に基づき、前記変換量検出点の座標の変換量を検出する（ステップＳ１０６）。座標変換検出部７２による変換量の検出については上述しており、詳しい説明は省略する。
【００８９】
ＣＰＵは、座標変換検出部７２によって検出された前記変換量検出点の座標の変換量を用い、前記プレビュー画像全体に係る座標の変換座標を求める（ステップＳ１０７）。つまり、ＣＰＵは、前記変換量検出点の座標の変換量に基づき、プレビュー画像全体に係る各画素の原座標に対する、前記編集の指示に対応する新座標を求める。
【００９０】
次いで、ＣＰＵは、受け付けた編集の指示に対応するプレビュー画像の作成を表示制御部４９に指示し、プレビュー画像の更新を行う（ステップＳ１０８）。ＣＰＵの指示に応じて表示制御部４９は、求められたプレビュー画像の新座標に、原座標の画素値を入力することにより、プレビュー画像を更新する。更新されたプレビュー画像は画像表示装置８に表示される。
【００９１】
また、ＣＰＵは座標演算部７３に指示して、予めその座標が記憶部９に記憶されている切取範囲算出点の編集後の新しい座標を演算する（ステップＳ１０９）。ＣＰＵの指示に応じて座標演算部７３は座標変換検出部７２によって上述したように検出された変換量検出点の座標の変換量に基づき、前記切取範囲算出点の新しい座標を演算する。座標演算部７３による前記切取範囲算出点の新しい座標の演算については上述しており、詳しい説明は省略する。
【００９２】
この後、利用者は画像表示装置８に表示されたプレビュー画像を視認し、プレビュー画像の出力希望する部分が切取枠Ｆに合わされたと判断した場合は、操作部１０の「出力」又は「コピー」キー、若しくは画像表示装置８（タッチパネル８１）の「コピー」のソフトキーを操作し、切取枠Ｆによって特定される範囲の出力を行い、プレビュー画像の出力希望する部分が切取枠Ｆに合わされていないと判断した場合は、再び編集を行う。
【００９３】
ＣＰＵは、利用者から出力指示を受け付けたか否かを判定する（ステップＳ１１０）。斯かる判定は、ＣＰＵが操作部１０又はタッチパネル８１を監視することによって行われる。
【００９４】
ＣＰＵは、利用者から出力指示を受け付けていないと判定した場合（ステップＳ１１０：ＮＯ）、処理をステップＳ１０４に戻す。なお、ステップＳ１０５に戻った後の処理においては、上述したように、ステップＳ１０７にて求めたプレビュー画像の新座標を原座標としてみなして処理が行われる。
【００９５】
また、ステップＳ１１０においての判定においては、所定時間の経過まで、利用者から出力指示を受け付けたか否かの判定を繰り返すように構成しても良い。
【００９６】
一方、ＣＰＵは、利用者から出力指示を受け付けたと判定した場合（ステップＳ１１０：ＹＥＳ）、変換量算出部７５に指示して、編集前の前記切取範囲算出点から編集後の前記切取範囲算出点へと変換した量を示す切取範囲変換量の算出を行う（ステップＳ１１１）。ＣＰＵの指示に応じて、変換量算出部７５は編集前後における前記切取範囲算出点の座標の変換に基づき、前記切取範囲変換量を算出する。変換量算出部７５による前記切取範囲変換量の算出については上述しており、詳しい説明は省略する。
【００９７】
ＣＰＵはステップＳ１１１にて算出された切取範囲変換量を用い、編集後のプレビュー画像で切取枠Ｆによって特定される範囲（編集後切取範囲）の各座標と対応する、編集前のプレビュー画像での範囲（対応切取範囲）の座標を演算することが出来る。換言すれば、これによって、前記入力画像における切り取りすべき範囲（対応切取範囲）が画定できる。
【００９８】
次いで、ＣＰＵは原稿補正部４３に指示し、前記入力画像から前記対応切取範囲の切取処理を指示する（ステップＳ１１２）。ＣＰＵの指示に応じて原稿補正部４３は、記憶部９に記憶されている入力画像の画像データに基づき、画定された対応切取範囲を、前記入力画像から切り取る。
【００９９】
ＣＰＵは画像出力装置５に指示し、原稿補正部４３によって切り取られた前記対応切取範囲に係る画像を、例えば記録用紙上に出力する（ステップＳ１１３）。
【０１００】
なお、切取枠Ｆによって特定される範囲は、画像入力装置３によって読み取られた入力画像に係るプレビュー画像の全てであっても良く、該プレビュー画像の一部であっても良い。
【０１０１】
（実施の形態２）
図１１は本発明の実施の形態２のデジタル複合機１の要部構成を示す機能ブロック図である。実施の形態２のデジタル複合機１は、動作を行うためのプログラムが、通信ＩＦ１１を介してＣＤ−ＲＯＭ等の記録媒体の可搬型記録媒体Ａで提供することも可能であるように構成されている。さらに、実施の形態２のデジタル複合機１は、前記コンピュータプログラムを、図示しない外部装置から通信ＩＦ１１を介してダウンロードすることも可能であるように構成されている。以下に、その内容を説明する。
【０１０２】
実施の形態２のデジタル複合機１は外装（又は内装）の記録媒体読み取り装置（図示せず）を備えており、該記録媒体読み取り装置に、切り取るべき範囲を示す切取枠Ｆの画像を表示部に表示させ、入力画像に基づいて該表示部に表示された表示画像を切取枠Ｆに合わせる編集に係る編集指示を受付させ、前記表示画像上の複数位置の指定を受付させ、前記編集によって変更する前記複数位置の座標変換を検出させ、該座標変換の検出結果に基づき、前記編集によって変更する、前記表示画像上の既定位置の変換座標を演算させ、編集前の前記既定位置の座標と、編集後の前記既定位置の変換座標との位置関係に基づき、前記入力画像から切取枠Ｆに対応する対応切取範囲を切り取らせるプログラム等が記録された可搬型記録媒体Ａを挿入して、例えば記憶部９にこのプログラムをインストールする。かかるプログラムはＲＡＭにロードして実行される。これにより、実施の形態２の本発明のデジタル複合機１として機能する。
【０１０３】
前記記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１０４】
いずれの場合においても、格納されているプログラムコードはＣＰＵがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１０５】
ここで、上記プログラムメディアは、本体と分離可能に構成される記録媒体であり、磁気テープ又はカセットテープ等のテープ系、フレキシブルディスク又はハードディスク等の磁気ディスク又はＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically  Erasable  Programmable  Read  Only  Memory）、フラッシュＲＯＭ等による半導体メモリを含めた固定的にプログラムコードを担持する媒体であっても良い。
【０１０６】
実施の形態１と同様の部分については、同一の符号を付して詳細な説明を省略する。
【符号の説明】
【０１０７】
１  デジタル複合機
２  制御部
７  画像編集装置
８  画像表示装置
９  記憶部
７１  位置指定受付部
７２  座標変換検出部
７３  座標演算部
７４  編集指示受付部
７５  変換量算出部
７６  切取範囲表示部
７７  切取部
８１  タッチパネル
Ｆ  切取枠
【図１】
2011061730.tif 000014
【図２】
2011061730.tif 000015
【図３】
2011061730.tif 000016
【図４】
2011061730.tif 000017
【図５】
2011061730.tif 000018
【図６】
2011061730.tif 000019
【図７】
2011061730.tif 000020
【図８】
2011061730.tif 000021
【図９】
2011061730.tif 000022
【図１０】
2011061730.tif 000023
【図１１】
2011061730.tif 000024